【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
光学スイッチネットワーク（１０４，１２００）であって、
入力／出力ポートと、
長さを有し、前記入力／出力ポートに光学的に結合される導波管（１２０８，１２１０，１２１２，１２１４，１２１６または１４１０）と、
平面状の表面（１０７）上に配置される複数の第１のバイナリ光学スイッチ（１２２８〜１２３２，１２３４〜１２３６，１２３８，または１２４０〜１２４２）であって、前記複数の第１のバイナリ光学スイッチは、前記導波管（１２０８，１２１０，１２１２，１２１４，１２１６または１４１０）の長さに沿って配置され、前記複数の第１のバイナリ光学スイッチの各バイナリ光学スイッチ（１４００）は、
少なくとも２つの位置の間で平行移動するように構成される平行移動可能な光学格子（１４０２）であって、前記少なくとも２つの位置の第１の位置は、少なくとも約２５％の結合効率を伴って、前記導波管（１２０８，１２１０，１２１２，１２１４，１２１６または１４１０）と前記平面状の表面（１０７）を越えた自由空間（１０６，１２４６，１６０２）との間に光学的に結合するように、前記導波管（１２０８，１２１０，１２１２，１２１４，１２１６または１４１０）に十分に近接し（１６００）、前記少なくとも２つの位置の第２の位置は、多くとも約５％の結合効率を伴って、前記導波管（１２０８，１２１０，１２１２，１２１４，１２１６または１４１０）と前記自由空間（１０６，１２４６，１６０２）との間に光学的に結合する（１５０４）ように、前記導波管（１２０８，１２１０，１２１２，１２１４，１２１６または１４１０）から十分に離れている（１５００）、平行移動可能な光学格子（１４０２）と、
前記平行移動可能な光学格子（１４０２）を前記第１の位置および前記第２の位置に選択的に平行移動させるように構成されるＭＥＭＳ構造（１８００）と
を備える、複数の第１のバイナリ光学スイッチ（１２２８〜１２３２，１２３４〜１２３６，１２３８，または１２４０〜１２４２）と
を備える、光学スイッチネットワーク。
【請求項２】
前記複数の第１のバイナリ光学スイッチ（１２２８〜１２３２，１２３４〜１２３６，１２３８，または１２４０〜１２４２）は、長方形アレイ内に配列される、請求項１に記載の光学スイッチネットワーク。
【請求項３】
前記光学スイッチネットワーク（１０４，１２００）は、光チップを備える、請求項１〜２のいずれかに記載の光学スイッチネットワーク。
【請求項４】
複数の行（５１４〜５１８，６０２〜６０６）と、複数の列（５２０〜５２４，６０８〜６１２）とを有する、行および列アドレス指定行列（５００，６００）をさらに備え、
前記複数の第１のバイナリ光学スイッチ（１２２８〜１２３２，１２３４〜１２３６，１２３８，または１２４０〜１２４２）の各バイナリ光学スイッチ（１４００）は、
前記複数の行（５１４〜５１８，６０２〜６０６）のうちの行に結合され、
前記複数の列（５２０〜５２４，６０８〜６１２）のうちの列に結合され、
前記複数の行のうちの前記行および前記複数の列のうちの前記列の両方の上に存在する信号に応答して作動するように構成される、請求項１〜３のいずれかに記載の光学スイッチネットワーク。
【請求項５】
光学端末（１００）であって、
視野を有するレンズ（１０２）と、
それぞれが請求項１に記載される複数の光学スイッチネットワーク（１０４，１２００）が配置される、平面状の表面（１０７）と
を備える、光学端末（１００）。
【請求項６】
共通入力／出力ポート（１１０，１２０２）と、
前記共通入力／出力ポート（１１０，１２０２）に光学的に結合される導波管（１２０６）と、
前記導波管（１２０６）に光学的に結合される複数の第２のバイナリ光学スイッチ（１２１８〜１２２６）であって、前記複数の第２のバイナリ光学スイッチ（１２１８〜１２２６）は、前記導波管（１２０６）の長さに沿って配置される、複数の第２のバイナリ光学スイッチ（１２１８〜１２２６）と
を備え、
前記複数の光学スイッチネットワーク（１０４，１２００）のそれぞれの光学スイッチネットワークの各入力／出力ポートは、前記複数の第２のバイナリ光学スイッチ（１２１８〜１２２６）のそれぞれのバイナリ光学スイッチに光学的に結合される、請求項５に記載の光学端末（１００）。
【請求項７】
共通入力／出力ポート（１１０，１２０２）と、
前記共通入力／出力ポート（１１０，１２０２）に光学的に結合される導波管（１２０６）と、
前記導波管（１２０６）に光学的に結合される複数の第２のバイナリ光学スイッチ（１２１８〜１２２６）であって、前記複数の第２のバイナリ光学スイッチ（１２１８〜１２２６）は、前記導波管（１２０６）の長さに沿って配置される、複数の第２のバイナリ光学スイッチ（１２１８〜１２２６）と
を備え、
前記複数の光学スイッチネットワーク（１０４，１２００）のそれぞれの光学スイッチネットワークの各入力／出力ポートは、前記複数の第２のバイナリ光学スイッチ（１２１８〜１２２６）のそれぞれのバイナリ光学スイッチを介して前記導波管（１２０６）に光学的に結合される、請求項５に記載の光学端末（１００）。
【請求項８】
前記複数の第１のバイナリ光学スイッチ（１２２８〜１２３２，１２３４〜１２３６，１２３８，または１２４０〜１２４２）を前記レンズ（１０２）に光学的に結合させる複数の光ファイバ（１０８）をさらに備える、請求項５〜７のいずれかに記載の光学端末。
【請求項９】
複数の行（５１４〜５１８，６０２〜６０６）と、複数の列（５２０〜５２４，６０８〜６１２）とを有する、行および列アドレス指定行列（５００，６００）をさらに備え、
前記複数の第１のバイナリ光学スイッチ（１２２８〜１２３２，１２３４〜１２３６，１２３８，または１２４０〜１２４２）の各バイナリ光学スイッチ（１４００）は、
前記複数の行（５１４〜５１８，６０２〜６０６）のうちの行に結合され、
前記複数の列（５２０〜５２４，６０８〜６１２）のうちの列に結合され、
前記複数の行のうちの前記行および前記複数の列のうちの前記列の両方の上に存在する信号に応答して作動するように構成される、請求項５〜８のいずれかに記載の光学端末。
【請求項１０】
前記複数の光学スイッチネットワーク（１０４，１２００）の各光学スイッチネットワークはさらに、前記入力／出力ポートに光学的に結合される光学伝送機（１１４）を備える、請求項５〜９のいずれかに記載の光学端末。
【請求項１１】
前記複数の光学スイッチネットワーク（１０４，１２００）のうちの少なくとも１つの光学スイッチネットワークの前記入力／出力ポートに光学的に結合される光学伝送機（１１４）をさらに備える、請求項５〜９のいずれかに記載の光学端末。
【請求項１２】
前記複数の光学スイッチネットワーク（１０４，１２００）の前記入力／出力ポートに光学的に結合される光学伝送機（１１４）をさらに備える、請求項５〜９のいずれかに記載の光学端末。
【手続補正２】
【補正対象書類名】明細書
【補正対象項目名】００３１
【補正方法】変更
【補正の内容】
【００３１】
本発明のある実施形態は、レンチキュラレンズを含む、放射線プロジェクタを提供する。入力部は、時変照明パターンを受信するように構成される。ナノフォトニックアレイは、複数の出力部を有する。フィルタは、出力部からの時変照明がレンチキュラレンズに指向されるように、時変照明パターンをナノフォトニックアレイの特定の出力部に指向するように構成される。
本願明細書は、例えば、以下の項目も提供する。
（項目１）
光学スイッチネットワークであって、
共通入力／出力ポートと、
長さを有し、前記共通入力／出力ポートに光学的に結合される導波管と、
平面状の表面上に配置される複数のバイナリ光学スイッチであって、前記複数のバイナリ光学スイッチは、前記導波管の長さに沿って配置され、前記複数のバイナリ光学スイッチの各バイナリ光学スイッチは、
少なくとも２つの位置の間で平行移動するように構成される平行移動可能な光学格子であって、前記少なくとも２つの位置の第１の位置は、少なくとも約２５％の結合効率を伴って、前記導波管と前記平面状の表面を越えた自由空間との間に光学的に結合するように、前記導波管に十分に近接し、前記少なくとも２つの位置の第２の位置は、多くとも約５％の結合効率を伴って、前記導波管と前記自由空間との間に光学的に結合するように、前記導波管から十分に離れている、平行移動可能な光学格子と、
前記平行移動可能な光学格子を前記第１の位置および前記第２の位置に選択的に平行移動させるように構成されるＭＥＭＳ構造と
を備える、複数のバイナリ光学スイッチと
を備える、光学スイッチネットワーク。
（項目２）
光学スイッチネットワークであって、
共通入力／出力ポートと、
複数のＮ個の他のポートと、
前記共通入力／出力ポートに光学的に結合される第１の導波管と、
前記第１の導波管に光学的に結合される複数の第１のバイナリ光学スイッチであって、前記複数の第１のバイナリ光学スイッチは、前記第１の導波管の長さに沿って配置される、複数の第１のバイナリ光学スイッチと、
複数の第２の導波管であって、前記複数の第２の導波管の各第２の導波管は、前記複数の第１のバイナリ光学スイッチの個別の第１のバイナリ光学スイッチを介して、前記第１の導波管に光学的に結合される、複数の第２の導波管と、
前記複数の第２の導波管の第２の導波管毎に、前記複数の第２の導波管の第２の導波管に光学的に結合される個別の複数の第２のバイナリ光学スイッチであって、各複数の第２のバイナリ光学スイッチは、個別の第２の導波管の長さに沿って配置され、前記複数の第２のバイナリ光学スイッチの各第２のバイナリ光学スイッチは、前記複数の第２の導波管の個別の第２の導波管と前記複数のＮ個の他のポートの個別のポートとの間に光学的に結合され、かつ、
少なくとも２つの位置の間で平行移動するように構成される平行移動可能な光学格子であって、前記少なくとも２つの位置の第１の位置は、少なくとも約２５％の結合効率を伴って、前記第２の導波管に光学的に結合するように、前記個別の第２の導波管に十分に近接し、前記少なくとも２つの位置の第２の位置は、多くとも約５％の結合効率を伴って、前記第２の導波管に光学的に結合するように、前記個別の第２の導波管から十分に離れている、平行移動可能な光学格子と、
前記平行移動可能な光学格子を前記第１の位置および前記第２の位置に選択的に平行移動させるように構成されるＭＥＭＳ構造と
を備える、個別の複数の第２のバイナリ光学スイッチと
を備える、光学スイッチネットワーク。
（項目３）
前記Ｎ個の他のポートは、長方形アレイ内に配列される、前記項目のいずれかに記載の光学スイッチネットワーク。
（項目４）
前記Ｎ個の他のポートは、平面状の表面上に配置される、前記項目のいずれかに記載の光学スイッチネットワーク。
（項目５）
前記第２のバイナリ光学スイッチが前記第１の位置にあるとき、前記複数の第２のバイナリ光学スイッチの各第２のバイナリ光学スイッチが、前記個別の第２の導波管と前記平面状の表面を越えた自由空間との間に光学的に結合するように構成される、項目４に記載の光学スイッチネットワーク。
（項目６）
前記光学スイッチネットワークは、光チップを備える、前記項目のいずれかに記載の光学スイッチネットワーク。
（項目７）
前記Ｎ個の他のポートの各ポートは、光学結合器を備える、前記項目のいずれかに記載の光学スイッチネットワーク。
（項目８）
複数の行と、複数の列とを有する、行および列アドレス指定行列をさらに備え、
前記複数の第１のバイナリ光学スイッチの各第１のバイナリ光学スイッチおよび前記複数の第２のバイナリ光学スイッチの各第２のバイナリ光学スイッチは、
前記複数の行のうちの行に結合され、
前記複数の列のうちの列に結合され、
前記複数の行のうちの前記行および前記複数の列のうちの前記列の両方の上に存在する信号に応答して作動するように構成される、
前記項目のいずれかに記載の光学スイッチネットワーク。
（項目９）
光学送信／受信端末であって、
視野を有するレンズと、
光学スイッチネットワークであって、前記光学スイッチネットワークは、
共通入力／出力ポートと、
複数のＮ個の他のポートの各ポートがレンズ視野の一意の部分に光学的に結合されるように、前記レンズに光学的に結合される、複数のＮ個の他のポートと、
前記共通入力／出力ポートに光学的に結合される第１の導波管と、
前記第１の導波管に光学的に結合される複数の第１のバイナリ光学スイッチであって、前記複数の第１のバイナリ光学スイッチは、前記第１の導波管の長さに沿って配置される、複数の第１のバイナリ光学スイッチと、
複数の第２の導波管であって、前記複数の第２の導波管の各第２の導波管は、前記複数の第１のバイナリ光学スイッチの個別の第１のバイナリ光学スイッチを介して、前記第１の導波管に光学的に結合される、複数の第２の導波管と、
前記複数の第２の導波管の第２の導波管毎に、前記複数の第２の導波管の第２の導波管に光学的に結合される、個別の複数の第２のバイナリ光学スイッチであって、各複数の第２のバイナリ光学スイッチは、個別の第２の導波管の長さに沿って配置され、前記複数の第２のバイナリ光学スイッチの各第２のバイナリ光学スイッチは、前記複数の第２の導波管の個別の第２の導波管と前記複数のＮ個の他のポートの個別のポートとの間に光学的に結合され、かつ、
少なくとも２つの位置の間で平行移動するように構成される平行移動可能な光学格子であって、前記少なくとも２つの位置の第１の位置は、少なくとも約２５％の結合効率を伴って、前記第２の導波管に光学的に結合するように、前記個別の第２の導波管に十分に近接し、前記少なくとも２つの位置の第２の位置は、多くとも約５％の結合効率を伴って、前記第２の導波管に光学的に結合するように、前記個別の第２の導波管から十分に離れている、平行移動可能な光学格子と、
前記平行移動可能な光学格子を前記第１の位置および前記第２の位置に選択的に平行移動させるように構成されるＭＥＭＳ構造と
を備える、個別の複数の第２のバイナリ光学スイッチと
を備える、光学スイッチネットワークと、
前記光学スイッチネットワークの共通入力／出力ポートに光学的に結合される光学伝送機および／または光学受信機と
を備える、光学送信／受信端末。
（項目１０）
前記Ｎ個の他のポートを前記レンズに光学的に結合させる複数の光ファイバをさらに備える、前記項目のいずれかに記載の光学伝送／受信端末。
（項目１１）
前記光学スイッチネットワークは、表面を画定し、前記第２のバイナリ光学スイッチが前記第１の位置にあるとき、前記複数の第２のバイナリ光学スイッチの各第２のバイナリ光学スイッチは、前記個別の第２の導波管と前記光学スイッチネットワークの表面を越えた自由空間との間に光学的に結合するように構成される、前記項目のいずれかに記載の光学送信／受信端末。
（項目１２）
各平行移動可能な光学格子は、個別のＭＥＭＳ構造を備える、前記項目のいずれかに記載の光学送信／受信端末。
（項目１３）
前記複数の第１のバイナリ光学スイッチの各第１のバイナリ光学スイッチは、個別のＭＥＭＳ構造を備える、前記項目のいずれかに記載の光学送信／受信端末。
（項目１４）
複数の行と、複数の列とを有する、行および列アドレス指定行列をさらに備え、
前記複数の第１のバイナリ光学スイッチの各第１のバイナリ光学スイッチおよび前記複数の第２のバイナリ光学スイッチの各第２のバイナリ光学スイッチは、
前記複数の行のうちの行に結合され、
前記複数の列のうちの列に結合され、
前記複数の行のうちの前記行および前記複数の列のうちの前記列の両方の上に存在する信号に応答して作動するように構成される、
前記項目のいずれかに記載の光学送信／受信端末。
（項目１５）
光学端末であって、
視野を有するレンズと、
複数の光学スイッチアレイを含む平面状の光学スイッチであって、前記複数の光学スイッチアレイの各光学スイッチアレイは、
共通ポートと、
複数のＮ個の他のポートの各ポートがレンズ視野の一意の部分に光学的に結合されるように、前記レンズに光学的に結合される、複数のＮ個の他のポートと、
前記共通ポートと前記複数のＮ個の他のポートとの間に光学的に結合される平面状のＮ×１光学スイッチネットワークと、
前記共通ポートに光学的に結合される光学受信機と
を備える、平面状の光学スイッチと
を備える、光学端末。
（項目１６）
前記複数の光学スイッチアレイの各光学スイッチアレイはさらに、前記共通ポートに光学的に結合される光学伝送機を備える、前記項目のいずれかに記載の光学端末。
（項目１７）
前記複数の光学スイッチアレイの少なくとも１つの光学スイッチアレイの共通ポートに光学的に結合される光学伝送機をさらに備える、前記項目のいずれかに記載の光学端末。
（項目１８）
前記複数の光学スイッチアレイの共通ポートに光学的に結合される光学伝送機をさらに備える、前記項目のいずれかに記載の光学端末。
（項目１９）
前記平面状の光学スイッチは、平面を画定し、
前記複数の光学スイッチアレイの光学スイッチアレイ毎に、前記平面状のＮ×１光学スイッチネットワークは、
長さを有し、前記光学スイッチアレイの共通ポートに光学的に結合される、導波管と、
前記平面状の光学スイッチの平面上に配置される複数のバイナリ光学スイッチであって、前記複数のバイナリ光学スイッチは、前記導波管の長さに沿って配置され、前記複数のバイナリ光学スイッチの各バイナリ光学スイッチは、
少なくとも２つの位置の間で平行移動するように構成される平行移動可能な光学格子であって、前記少なくとも２つの位置の第１の位置は、少なくとも約２５％の結合効率を伴って、前記導波管と前記平面状の光学スイッチの平面を越えた自由空間との間に光学的に結合するように、前記導波管に十分に近接し、前記少なくとも２つの位置の第２の位置は、多くとも約５％の結合効率を伴って、前記導波管と前記自由空間との間に光学的に結合するように、前記導波管から十分に離れている、平行移動可能な光学格子と、
前記平行移動可能な光学格子を前記第１の位置および前記第２の位置に選択的に平行移動させるように構成されるＭＥＭＳ構造と
を備える、複数のバイナリ光学スイッチと
を備える、前記項目のいずれかに記載の光学端末。
（項目２０）
光学端末であって、
視野を有するレンズと、
平面状の表面を画定し、複数の光学スイッチアレイを含む平面状の光学スイッチであって、前記複数の光学スイッチアレイの各光学スイッチアレイは、
共通ポートと、
長さを有し、前記共通ポートに光学的に結合される、導波管と、
前記平面状の表面上に配置される複数のバイナリ光学スイッチであって、前記複数のバイナリ光学スイッチは、前記導波管の長さに沿って配置され、前記複数のバイナリ光学スイッチの各バイナリ光学スイッチは、
少なくとも２つの位置の間で平行移動するように構成される平行移動可能な光学格子であって、前記少なくとも２つの位置の第１の位置は、少なくとも約２５％の結合効率を伴って、前記導波管と前記平面状の表面を越えた自由空間との間に光学的に結合するように、前記導波管に十分に近接し、前記少なくとも２つの位置の第２の位置は、多くとも約５％の結合効率を伴って、前記導波管と前記自由空間との間に光学的に結合するように、前記導波管から十分に離れている、平行移動可能な光学格子と、
前記平行移動可能な光学格子を前記第１の位置および前記第２の位置に選択的に平行移動させるように構成される、ＭＥＭＳ構造と
を備える、複数のバイナリ光学スイッチと
を備える、平面状の光学スイッチと
を備える、光学端末。
（項目２１）
光学システムであって、
視野を有するレンチキュラレンズと、
複数のポートのポート毎に、前記視野の一意の部分が、前記ポートによって、前記レンチキュラレンズを通して視認可能であるように配置される、複数のポートと、
入力ポートを有し、前記入力ポートを制御信号に応答して前記複数のポートの選択されるポートに光学的に結合させるように構成される光学スイッチネットワークと
を備える、光学システム。
（項目２２）
前記光学スイッチネットワークは、平面状の表面を画定し、かつ、
長さを有し、前記入力ポートに光学的に結合される、導波管と、
平面状の表面上に配置される複数のバイナリ光学スイッチであって、前記複数のバイナリ光学スイッチは、前記導波管の長さに沿って配置され、前記複数のバイナリ光学スイッチの各バイナリ光学スイッチは、
少なくとも２つの位置の間で平行移動するように構成される平行移動可能な光学格子であって、前記少なくとも２つの位置の第１の位置は、少なくとも約２５％の結合効率を伴って、前記導波管と前記平面状の表面を越えた自由空間との間に光学的に結合するように、前記導波管に十分に近接し、前記少なくとも２つの位置の第２の位置は、多くとも約５％の結合効率を伴って、前記導波管と前記自由空間との間に光学的に結合するように、前記導波管から十分に離れている、平行移動可能な光学格子と、
平行移動可能な光学格子を前記第１の位置および前記第２の位置に選択的に平行移動させるように構成される、ＭＥＭＳ構造と
を備える、複数のバイナリ光学スイッチと
を備える、前記項目のいずれかに記載の光学システム。
（項目２３）
前記光学スイッチネットワークは、
波長フィルタと、
波長可変光源と
を備える、前記項目のいずれかに記載の光学システム。
（項目２４）
放射線プロジェクタであって、
レンチキュラレンズと、
時変照明パターンを受信するように構成される入力部と、
複数の出力部を有する、ナノフォトニックアレイと、
前記出力部からの前記時変照明が前記レンチキュラレンズに指向されるように、前記時変照明パターンを前記ナノフォトニックアレイの特定の出力部に指向するように構成される、フィルタと
を備える、放射線プロジェクタ。